(57)【特許請求の範囲】
【請求項１】
所定の過電流検出値以上の電流が規定時間以上出力されたことを検知すると該出力を遮断する保護回路を備えた電池が接続される電源回路であって、
前記電池の補助電源となる蓄電素子群と、
該蓄電素子群の充電を制御する制御手段とを備え、
前記蓄電素子群は、
前記電池に並列接続可能な第１蓄電素子と、
該第１蓄電素子に並列接続可能な第２蓄電素子を有し、
前記制御手段は、前記第１蓄電素子と前記第２蓄電素子との接続を遮断した状態で前記第１蓄電素子を前記電池と接続して前記第１蓄電素子を充電する主充電処理と、前記電池と前記第１蓄電素子との接続を遮断した状態で前記第１蓄電素子と前記第２蓄電素子とを接続して前記第１蓄電素子の出力で前記第２蓄電素子を充電するリレー充電処理とを、交互に繰返すことを特徴とする電源回路。
【請求項２】
請求項１記載の電源回路において、前記第２蓄電素子は、並列接続された複数のコンデンサである電源回路。
【請求項３】
請求項１または２記載の電源回路は、さらに、前記電池と前記第１蓄電素子とを接続するスイッチ手段を備え、前記制御手段は、前記主充電処理として、前記スイッチ手段のオンオフを所定の間隔で切換えて前記第１蓄電素子を間欠充電する電源回路。
【請求項４】
請求項３記載の電源回路において、
前記制御手段は、前記蓄電素子群の端子電圧が前記保護回路の遮断動作を回避できる基準電圧以上でない場合は、前記蓄電素子群の端子電圧が前記基準電圧以上になるまで、前記主充電処理と前記リレー充電処理とを交互に繰返し実行する電源回路。
【請求項５】
請求項３または４記載の電源回路において、前記制御手段は、前記第１蓄電素子の端子電圧が所定のしきい電圧未満であるときに前記主充電処理を実行し、前記第１蓄電素子の端子電圧が前記所定のしきい電圧以上であるときに前記リレー充電処理を実行する電源回路。
【請求項６】
請求項３から５のいずれか一項に記載の電源回路において、前記制御手段は、前記主充電処理を実行しているときは前記電池及び前記第１蓄電素子の出力で負荷に電力を供給し、前記リレー充電処理を実行しているときは前記電池の出力で負荷に電力を供給する電源回路。
【請求項７】
請求項３から５のいずれか一項に記載の電源回路において、前記制御手段は、前記蓄電素子群の端子電圧が前記基準電圧以上である場合は、前記電池と第１蓄電素子及び前記第２蓄電素子とを接続し、前記電池と前記蓄電素子群の出力で負荷に電力供給する電源回路。
【発明の詳細な説明】
【０００１】
【発明の技術分野】
本発明は、機器の負荷変動による電源電圧変動を吸収する蓄電素子を備えた電源回路に関する。
【０００２】
【従来技術およびその問題点】
近年では、電子機器内部に流れる電流変化（負荷変動）による電源電圧変動を抑制するため、内部抵抗を減らすことを目的として電池に蓄電素子を並列接続した電源装置が提案されている。この用途の蓄電素子としては、等価直列抵抗（ＥＳＲ）が低くかつ蓄積容量が大きいものが適しており、主に電気二重層コンデンサを使用している。
しかし、過電流保護回路を備えた電池、例えば、いわゆるリチウムイオン電池を使用している場合には、電気二重層コンデンサの充電時に所定の過電流検出値以上の電流が規定時間以上流れてしまい、その結果、過電流保護回路が遮断動作して電池の出力が遮断されてしまう場合がある。その場合、使用者は過電流保護回路が遮断動作したことを認識することができないため、十分な電池残量があるにも関わらず電池残量がない、または機器の故障と誤認識してしまう。
【０００３】
【発明の目的】
本発明は、電池が備えた保護回路の遮断動作を回避して蓄電素子を充電することができる電源回路を提供することを目的とする。
【０００４】
【発明の概要】
所定の過電流検出値以上の電流が規定時間以上出力されたことを検知すると該出力を遮断する保護回路を備えた電池が接続される電源回路であって、前記電池の補助電源となる蓄電素子群と、該蓄電素子群の充電を制御する制御手段とを備え、前記蓄電素子群は、前記電池に並列接続可能な第１蓄電素子と、該第１の蓄電素子に並列接続可能な第２蓄電素子を有し、前記制御手段は、前記第１蓄電素子と前記第２蓄電素子との接続を遮断した状態で前記第１蓄電素子と前記電池を接続して前記第１蓄電素子を前記電池の出力で充電する主充電処理と、前記電池と前記第１蓄電素子との接続を遮断した状態で前記第１蓄電素子と前記第２蓄電素子とを接続して前記第１蓄電素子の出力で前記第２蓄電素子を充電するリレー充電処理とを交互に繰返すことに特徴を有する。この構成によれば、電池に対して並列に複数段にわたって蓄電素子が接続されている場合でも、各段にスイッチ手段等を設けることなく、保護回路の遮断動作を回避することができる。
【０００５】
【発明の実施の形態】
以下、図面に基づいて本発明を説明する。図１は、本発明を適用した電源回路の主要構成をブロックで示す図である。本電源回路１００は、保護回路２１０を備えた電池２００と、負荷３００との間に接続される。電池２００から出力される電源電流Ｉは、電源回路１００を介して駆動電流ＩLとされ、負荷３００に供給される。保護回路２１０は、所定の過電流検出レベル以上の電源電流Ｉが規定時間以上流れたことを検知すると、電池２００の出力を遮断する回路である。保護回路を備えた電池としては、携帯機器に多く利用されるリチウムイオン電池等がある。
【０００６】
電源回路１００は、電池２００の補助電源として、蓄電素子群１０を備えている。蓄電素子群１０は、電池２００に対して並列に接続される蓄電素子Ｃ１（第１蓄電素子）と、この蓄電素子Ｃ１に並列接続される蓄電素子Ｃ２、Ｃ３（第２蓄電素子）とを有している。蓄電素子Ｃ２と蓄電素子Ｃ３は、並列接続されているため、ほぼ同電圧で保持される。これら蓄電素子Ｃ１、Ｃ２、Ｃ３は、電池２００に規定時間以上接続すると保護回路２１０が遮断動作し得る大容量の蓄電素子であり、例えば電気二重層コンデンサである。
また電源回路１００には、スイッチ手段として、電池２００と蓄電素子群１０を接続する第１スイッチＳＷ１及び第５スイッチＳＷ５、電池２００と負荷３００を接続する第２スイッチＳＷ２、蓄電素子Ｃ１と蓄電素子Ｃ２、Ｃ３とを接続する第３スイッチＳＷ３、蓄電素子Ｃ１と負荷３００とを接続する第４スイッチＳＷ４を設けている。第５スイッチＳＷ５は、電池２００から電力を供給されて蓄電素子Ｃ１を所定の電圧まで充電するスイッチングコントローラ２０によって、スイッチングされる。上記第１〜第４スイッチＳＷ１〜ＳＷ４及びスイッチングコントローラ２０は、マイコン３０によって制御される。
【０００７】
マイコン３０は、蓄電素子Ｃ１の端子電圧Ｖｃ１を検出する第１電圧検出部３１と、蓄電素子Ｃ３の端子電圧Ｖｃ３（蓄電素子Ｃ２の端子電圧Ｖｃ２）を検出する第２電圧検出部３２と、各種の制御用データを格納したメモリ部３３と、比較部３５と、比較部３５の比較結果に応じて第１〜４スイッチＳＷ１〜４のオン／オフ及びスイッチングコントローラ２０を制御する制御部３７とを備え、バックアップ用電池４０からの電力供給を受けて動作する。
またマイコン３０には、電池２００の終止電圧Ｖｓを監視するための電圧検出器３９が接続されている。
【０００８】
以上の構成に基づいて、本実施形態におけるマイコン３０の概略の充電制御動作について説明する。
マイコン３０は、蓄電素子Ｃ１が満充電状態とみなせる第１基準電圧Ｖref１よりも蓄電素子Ｃ１の端子電圧Ｖｃ１が低い場合は、先ず、蓄電素子Ｃ１と蓄電素子Ｃ２、Ｃ３との接続を遮断した状態で蓄電素子Ｃ１と電池２００とを接続し、蓄電素子Ｃ１を間欠充電して満充電状態とする。次に、蓄電素子Ｃ１と電池２００との接続を遮断した状態で蓄電素子Ｃ１と蓄電素子Ｃ２、Ｃ３を接続する。すると、蓄電素子Ｃ１の蓄積電荷の一部が蓄電素子Ｃ２、Ｃ３に移動して蓄電素子Ｃ２、Ｃ３が充電される。以下では、蓄電素子Ｃ１の蓄積電荷により蓄電素子Ｃ２、Ｃ３が充電されることを「リレー充電」とよぶことにする。
そして、蓄電素子Ｃ１の端子電圧Ｖｃ１と蓄電素子Ｃ３の端子電圧Ｖｃ３が等しくなったとき、マイコン３０は、蓄電素子Ｃ３の端子電圧Ｖｃ３と保護回路２１０の遮断動作を回避できる第２基準電圧Ｖref２とを比較する。比較した結果、蓄電素子Ｃ３の端子電圧Ｖｃ３が第２基準電圧Ｖref２未満であった場合は、蓄電素子Ｃ１と蓄電素子Ｃ２、Ｃ３との接続を遮断し、蓄電素子Ｃ３の端子電圧Ｖｃ３が第２基準電圧Ｖref２以上となるまで、蓄電素子Ｃ１を間欠充電する主充電と、蓄電素子Ｃ１の出力で蓄電素子Ｃ２、Ｃ３を充電するリレー充電とを繰返し実行する。
【０００９】
マイコン３０の充電制御に関する概略の動作は以上のとおりであるが、次に図２に示されるフローチャートを参照してより詳細に説明する。この処理は、電池２００が電源回路１００に接続される度に入る。
この処理に入ると先ず、第１スイッチＳＷ１及び第４スイッチＳＷ４をオンし、第２スイッチＳＷ２及び第３スイッチＳＷ３をオフするとともに、スイッチングコントローラ２０を介して第５スイッチＳＷ５のスイッチングを開始する（Ｓ１１）。第１スイッチＳＷ１のオン及び第５スイッチＳＷのオン／オフのスイッチングにより、蓄電素子Ｃ１を間欠充電する主充電が行われる。この主充電中は、第４スイッチＳＷ４がオンしているので、電池２００及び蓄電素子Ｃ１から負荷３００へ電力が供給される。
【００１０】
そして、電圧検出器３９を介し電池２００の電池電圧Ｖｂａｔを検出し、検出した電池電圧Ｖｂａｔが終止電圧Ｖｓ以上か否かをチェックする（Ｓ１３、Ｓ１５）。電池電圧Ｖｂａｔが終止電圧Ｖｓ未満であったとき、即ち電池２００の消耗が激しいときは、全スイッチＳＷ１〜ＳＷ５をオフ状態として、この処理から抜ける（Ｓ１５；Ｎ、Ｓ１７）。なお終止電圧Ｖｓは、蓄電素子Ｃ１の満充電状態とみなせる第1基準電圧Ｖref１、保護回路２１０の遮断動作を回避できる第２基準電圧Ｖref２よりも低く設定してある。
【００１１】
電池電圧Ｖｂａｔが終止電圧Ｖｓ以上であったときは、蓄電素子Ｃ１の端子電圧Ｖｃ１を検出し、検出した端子電圧Ｖｃ１が蓄電素子Ｃ１の満充電状態とみなせる第１基準電圧Ｖref１以上か否かをチェックする（Ｓ１５；Ｙ、Ｓ１９、Ｓ２１）。蓄電素子Ｃ１の端子電圧Ｖｃ１が第１基準電圧Ｖref１未満であったときは、Ｓ１１へ戻って蓄電素子Ｃ１の間欠充電（主充電）を継続する（Ｓ２１；Ｎ）。蓄電素子Ｃ１の端子電圧Ｖｃ１が第１基準電圧Ｖref１以上であったとき、即ち蓄電素子Ｃ１が満充電状態であったときは（Ｓ２１；Ｙ）、第２スイッチＳＷ２をオンし、第１スイッチＳＷ１、第３スイッチＳＷ３、第４スイッチＳＷ４をオフするとともに、スイッチングコントローラ２０を介して第５スイッチＳＷ５をオン状態で固定してスイッチングを停止する（Ｓ２３）。この第１スイッチＳＷ１のオフ及び第５スイッチＳＷ５のスイッチング停止により、蓄電素子Ｃ１の間欠充電が停止される。
【００１２】
続いて、第３スイッチＳＷ３をオンする（Ｓ２５）。第３スイッチＳＷ３がオンすると、リレー充電が行われる。即ち、第３スイッチＳＷ３がオンすると、蓄電素子Ｃ１と蓄電素子Ｃ２、Ｃ３とが並列に接続された閉回路が形成され、蓄電素子Ｃ１の蓄積電荷の一部が瞬時に蓄電素子Ｃ２、Ｃ３に移動して蓄電素子Ｃ２、Ｃ３が充電され、蓄電素子Ｃ１〜Ｃ３の端子電圧Ｖｃ１〜Ｖｃ３がほぼ等しくなる。
【００１３】
続いて、第３スイッチＳＷ３をオフし（Ｓ２７）、蓄電素子Ｃ１と蓄電素子Ｃ２、Ｃ３との接続を遮断した状態で、蓄電素子Ｃ１の端子電圧Ｖｃ１及び蓄電素子Ｃ３の端子電圧Ｖｃ３を検出して両電圧値を比較する（Ｓ２９、Ｓ３１）。蓄電素子Ｃ１の端子電圧Ｖｃ１と蓄電素子Ｃ３の端子電圧Ｖｃ３が等しくなかったときは、Ｓ２５に戻り（Ｓ３１；Ｎ）、リレー充電処理を継続する。このリレー充電処理中（Ｓ２３のステップを含む）は、第２スイッチＳＷ２がオンするとともに第４スイッチＳＷ４がオフしているので、電池２００のみの出力で負荷３００へ電力が供給される。蓄電素子Ｃ１の端子電圧Ｖｃ１と蓄電素子Ｃ３の端子電圧Ｖｃ３がほぼ等しくなったときは（Ｓ３１；Ｙ）、蓄電素子Ｃ３の端子電圧Ｖｃ３と保護回路２１０の遮断動作を回避するためのしきい電圧値である第２基準電圧Ｖref２とを比較する（Ｓ３３）。
【００１４】
蓄電素子Ｃ３の端子電圧Ｖｃ３が第２基準電圧Ｖref２未満であったときは、Ｓ１１へ戻り（Ｓ３３；Ｎ、Ｓ１１）、端子電圧Ｖｃ３が第２基準電圧Ｖref２以上になるまで、Ｓ１１〜Ｓ３３の処理を繰返す。即ち、蓄電素子Ｃ３の端子電圧Ｖｃ３が第２基準電圧Ｖref２未満であったときは、電池２００と蓄電素子群１０とを接続すると保護回路２１０が遮断動作してしまうため、蓄電素子Ｃ３の端子電圧Ｖｃ３が第２基準電圧Ｖref２以上となるまで、蓄電素子Ｃ１を間欠充電する主充電と、蓄電素子Ｃ１の出力で蓄電素子Ｃ２、Ｃ３を充電するリレー充電とを交互に繰返し実行する。
なお上述したように、主充電時には電池２００及び蓄電素子Ｃ１の出力によって負荷３００に電力を供給し、リレー充電時には電池２００のみの出力によって負荷３００に電力を供給する。
【００１５】
蓄電素子Ｃ３の端子電圧Ｖｃ３が第２基準電圧Ｖref２以上であったときは（Ｓ３３；Ｙ）、第１スイッチＳＷ１、第３スイッチＳＷ３、第４スイッチＳＷ４をオンし、第２スイッチＳＷ２をオフするとともに、スイッチングコントローラ２０を介して第５スイッチＳＷ５をオン状態で固定し（Ｓ３５）、Ｓ３３へ戻る。蓄電素子Ｃ３の端子電圧Ｖｃ３が第２基準電圧Ｖref２以上である間は、第２スイッチＳＷ２のみがオフした状態を維持する（Ｓ３３；Ｙ、Ｓ３５）。このように第２スイッチＳＷ２のみがオフした状態では、電池２００及び蓄電素子群１０の出力によって負荷３００に電力を供給する。蓄電素子Ｃ３の端子電圧Ｖｃ３が第２基準電圧Ｖref２未満まで下がると（Ｓ３３；Ｎ）、Ｓ１１に戻って蓄電素子Ｃ３の端子電圧Ｖｃ３が第２基準電圧Ｖref２になるまで主充電処理およびリレー充電処理を実行する。
【００１６】
以上の処理により、蓄電素子Ｃ１（第１蓄電素子）は、蓄電素子Ｃ２、Ｃ３との接続が遮断された状態で第５スイッチＳＷ５のスイッチングにより間欠充電され、また蓄電素子Ｃ２、Ｃ３（第２蓄電素子）は、電池２００と蓄電素子Ｃ１との接続が遮断された状態で蓄電素子Ｃ１の出力により充電されるため、保護回路２１０の遮断動作を回避することができる。
【００１７】
図３に電源回路１００のより具体的な実施例を示した。図３に示す電源回路１００は、第１スイッチＳＷ１として第１トランジスタ１０１及び第１ＭＯＳＦＥＴ１１１を、第２スイッチＳＷ２として第２トランジスタ１０２及び第２ＭＯＳＦＥＴ１１２を、第３スイッチＳＷ３として第３トランジスタ１０３及び第３ＭＯＳＦＥＴ１１３を、第４スイッチＳＷ４として第４トランジスタ１０４及び第４ＭＯＳＦＥＴ１１４を、第５スイッチＳＷ５として第５ＭＯＳＦＥＴ１１５を備えている。
【００１８】
第１トランジスタ１０１は、エミッタ接地されていて、コレクタが第１ＭＯＳＦＥＴ１１１のゲートに接続され、ベースがマイコン３０に接続されている。第１トランジスタ１０１は、マイコン３０の出力に応じて動作し、第１ＭＯＳＦＥＴ１１１のオン／オフを切換える。即ち、第１トランジスタ１０１のオン状態では、第１ＭＯＳＦＥＴ１１１のゲート・ソース間電圧が最大となるので、第１ＭＯＳＦＥＴ１１１がオンする。一方、第１トランジスタ１０１のオフ状態では、第１ＭＯＳＦＥＴ１１１のゲート・ソース間が同電位に保持されるため、第１ＭＯＳＦＥＴ１１１がオフする。同様に、第２〜第４トランジスタ１０２〜１０４のオン状態では、第２〜第４ＭＯＳＦＥＴ１１２〜１１４がオンし、第２〜第４トランジスタ１０２〜１０４のオフ状態では、第２〜第４ＭＯＳＦＥＴ１１２〜１１４がオフする。
第５ＭＯＳＦＥＴ１１５には、第５ＭＯＳＦＥＴ１１５のゲート電圧を制御して第５ＭＯＳＦＥＴ１１５のオン／オフを切換えるＤＣ／ＤＣコントロールＩＣ１２０が接続されている。ＤＣ／ＤＣコントロールＩＣ１２０は、マイコン３０の出力に応じて第５ＭＯＳＦＥＴ１１５のオン／オフを制御する。
【００１９】
マイコン３０は、第１コンパレータ１３１及び（または）第２コンパレータ１３２の出力に応じて第１〜第４トランジスタ１０１〜１０４及びＤＣ／ＤＣコントロールＩＣ１２０を制御し、蓄電素子Ｃ１の間欠充電及び蓄電素子Ｃ２、Ｃ３のリレー充電を実行する。
第１コンパレータ１３１は、蓄電素子Ｃ１がほぼ満充電されたとみなされる第１基準電圧Ｖref１と、蓄電素子Ｃ１の端子電圧Ｖｃ１を抵抗Ｒ１及び抵抗Ｒ２で分圧した第１分圧電圧Ｖｋ１とを入力して比較し、その比較結果をマイコン３０に出力する。即ち、第１コンパレータ１３１から、第１分圧電圧Ｖｋ１が第１基準電圧Ｖref１未満である場合はＬ（ロウ）レベルの電圧が出力され、第１分圧電圧Ｖｋ１が第１基準電圧Ｖref１以上である場合はＨ（ハイ）レベルの電圧が出力される。なお第１基準電圧Ｖref１には、蓄電素子Ｃ１を満充電した状態の電圧を抵抗Ｒ１及び抵抗Ｒ２の抵抗比と同じ比率で分圧した分圧電圧値を設定してある。
第２コンパレータ１３２は、保護回路２１０の遮断動作を回避するための第２基準電圧Ｖref２と、蓄電素子Ｃ３の端子電圧Ｖｃ３を抵抗Ｒ３及び抵抗Ｒ４で分圧した第２分圧電圧Ｖｋ２とを入力して比較し、その比較結果をマイコン３０に出力する。即ち、第２分圧電圧Ｖｋ２が第２基準電圧Ｖref２未満である場合はＬレベルの電圧が出力され、第２分圧電圧Ｖｋ２が第２基準電圧Ｖref２以上である場合はＨレベルの電圧が出力される。
【００２０】
マイコン３０は、第１コンパレータ１３１からＬレベルの電圧を入力し、且つ第２コンパレータ１３２からＬレベルの電圧を入力している場合、第２及び第３トランジスタ１０２、１０３をオフし、第１及び第４トランジスタ１０１、１０４をオンして、ＤＣ／ＤＣコントロールＩＣ１２０を介して第５ＭＯＳＦＥＴ１１５のスイッチングを実行させる。つまり、電池２００と蓄電素子群１０を規定時間以上接続すると保護回路２１０が遮断動作しうる状態であって、蓄電素子Ｃ１が満充電されていない状態では、蓄電素子Ｃ１を間欠充電しながら電池２００及び蓄電素子Ｃ１の出力で負荷３００に電力を供給する。
【００２１】
またマイコン３０は、第１コンパレータ１３１からＨレベルの電圧を入力し、且つ第２コンパレータ１３２からＬレベルの電圧を入力している場合、第１及び第４トランジスタ１０１、１０４をオフする一方、第２及び第３トランジスタ１０２、１０３をオンし、ＤＣ／ＤＣコントロールＩＣ１２０を介して第５ＭＯＳＦＥＴ１１５のスイッチングを停止する。つまり、電池２００と蓄電素子群１０を規定時間以上接続すると保護回路２１０が遮断動作しうる状態で蓄電素子Ｃ１が満充電されると、蓄電素子Ｃ１の出力によって蓄電素子Ｃ２、Ｃ３を充電するとともに、電池２００の出力によって負荷３００に電力を供給する。
【００２２】
さらにマイコン３０は、第1コンパレータ１３１及び第２コンパレータ１３２からＨレベルの電圧を入力している場合は、第２トランジスタ１０２をオフする一方、第１、第３、及び第４トランジスタ１０１、１０３、１０４をオンし、ＤＣ／ＤＣコントロールＩＣ１２０を介して第５ＭＯＳＦＥＴ１１５をオン状態で固定する。つまり、電池２００と蓄電素子群１０（蓄電素子Ｃ１及び蓄電素子Ｃ２、Ｃ３）を規定時間以上接続しても保護回路２１０が遮断動作しない状態では、電池２００と蓄電素子群１０を接続し、電池２００と蓄電素子群１０の出力によって負荷３００に電力を供給する。
【００２３】
以上のように、電源回路１００は、蓄電素子Ｃ１と蓄電素子Ｃ２、Ｃ３との接続を遮断した状態で電池２００の出力によって蓄電素子Ｃ１を間欠充電する主充電処理と、電池２００と蓄電素子Ｃ１との接続を遮断した状態で蓄電素子Ｃ１と蓄電素子Ｃ２、Ｃ３とを接続して蓄電素子Ｃ１の蓄積電荷で蓄電素子Ｃ２、Ｃ３を充電するリレー充電処理とを繰返すので、電池２００に対して並列に複数段にわたって蓄電素子が接続されている場合でも保護回路２１０の遮断動作を回避することができる。そのため、電池残量がない、または機器の故障等という誤認識を使用者に与えることもなくなる。また、蓄電素子Ｃ２と蓄電素子Ｃ３の各段にスイッチング回路等を設けなくて済み、回路の小規模化を図れる。
【００２４】
以上では、蓄電素子群１０において、電池２００に並列に接続される第１蓄電素子として蓄電素子Ｃ１を設け、第１蓄電素子に並列接続される第２蓄電素子として蓄電素子Ｃ２、Ｃ３を設けた場合について説明したが、第１蓄電素子及び第２蓄電素子として設ける蓄電素子の数及び種類（特性）は任意であり、また各蓄電素子を直列または並列に接続して設けてもよく、使用する電池の特性や使用状況などを考慮して適宜決定するのが望ましい。なお、蓄電素子としては電気二重層コンデンサを想定しているが、これに限定されないのは勿論である。本電源回路１００は、電子スチルカメラなど負荷変動の大きい機器に搭載されると、より効果を発揮する。
【００２５】
【発明の効果】
本発明の電源回路によれば、第１蓄電素子と第２蓄電素子との接続を遮断した状態で第１蓄電素子を電池と接続し、電池の出力によって第１蓄電素子を充電する主充電処理と、電池と第１蓄電素子との接続を遮断した状態で第１蓄電素子と第２蓄電素子とを接続し、第１蓄電素子の出力で第２蓄電素子を充電するリレー充電処理とを交互に繰返すので、電池に対して並列に複数段にわたって蓄電素子が接続されている場合でも保護回路の遮断動作を回避することができ、電池残量がない、または機器の故障等という誤認識を使用者に与えることもなくなる。
【図面の簡単な説明】
【図１】  本発明を適用した電源回路の一実施形態をブロックで示す図である。
【図２】  同電源回路の充電制御処理に関するフローチャートを示す図である。
【図３】  同電源回路の一実施例を示す回路図である。
【符号の説明】
１０  蓄電素子群
２０  スイッチングコントローラ
３０  マイコン
４０  バックアップ電池
１００  電源回路
１０１  第１トランジスタ
１０２  第２トランジスタ
１０３  第３トランジスタ
１０４  第４トランジスタ
１１１  第１ＭＯＳＦＥＴ
１１２  第２ＭＯＳＦＥＴ
１１３  第３ＭＯＳＦＥＴ
１１４  第４ＭＯＳＦＥＴ
１１５  第５ＭＯＳＦＥＴ
１２０  ＤＣ／ＤＣコントロールＩＣ
１３１  第１コンパレータ
１３２  第２コンパレータ
２００  電池
２１０  保護回路
３００  負荷
Ｃ１  蓄電素子（第１蓄電素子）
Ｃ２  Ｃ３  蓄電素子（第２蓄電素子）
【図１】
0003737930.tif 000002
【図２】
0003737930.tif 000003
【図３】
0003737930.tif 000004